(57)【要約】【課題】  整髪用鋏の提供。【解決手段】  本発明は一種の整髪用鋏に係り、第１、第２本体が重ね合わされ枢設されてなり、第１本体の第１切刃部が複数の間隙を具え、間隙内に左、右側面及び底端面が設けられ、第１切刃部の内、外側に接触面と遠離面があり、間隙と第２本体とが接合される時、髪収容空間が形成され、接触面と髪収容空間エリア内の左、右側面及び底端面の接続部分、及び遠離面と左、右側面及び底端面の接続部分に円弧面が形成され、円弧面の設置により、鋏で頭髪を切る時、間隙及び髪収容空間内に位置する未切断の髪が、鋏の引っ張り移動の過程で、円弧面に沿って間隙より急速脱出し、切断操作が順調に、急速に抵抗なく行なえ、並びに未切断の残りの頭髪を傷つけることがない。【選択図】        図６
2006102042.tif 000002
【特許請求の範囲】
【請求項１】
第１本体、第２本体が重ね合わされ枢設され、第１、２本体が第１、２切刃部を具え、第１切刃部に複数の歯部が設けられ、二つの歯部の間に間隙が形成され、第２切刃部と間隙が接合される時に髪収容空間を形成し、各歯部の離間端部に切断部が設けられ、間隙内に左側面、右側面及び底端面があり、第１切刃部の内、外側に接触面と遠離面がある整髪用鋏において、
接触面と髪収容空間エリア内の左、右側面及び底端面の接続部分、及び遠離面の切断部以外のエリアと左、右側面及び底端面の接続部分にそれぞれ円弧面が形成されたことを特徴とする、整髪用鋏。
【請求項２】
請求項１記載の整髪用鋏において、間隙内の左、右側面と切断部の接続部分全てが円弧面を呈することを特徴とする、整髪用鋏。
【請求項３】
請求項１記載の整髪用鋏において、間隙内の左、右側面と切断部の接続部分の底部が円弧面を呈することを特徴とする、整髪用鋏。
【発明の詳細な説明】
【技術分野】
【０００１】
本発明は一種の整髪用鋏に係り、頭髪を切る時に、未切断の頭髪を損傷することなく、未切断の頭髪を急速に整髪用鋏より離脱させられるよう形成された整髪用鋏に関する。
【背景技術】
【０００２】
周知の整髪用鋏は、図１、２に示されるように、第１、２本体１００、２００の所定部分が枢設部品３００で枢設され、第１本体１００に第１握持部１０１及び第１切刃部１０２が設けられ、第１切刃部１０２に複数の離間配列された歯部１０３が設けられ、二つの歯部１０３の間に間隙１０４が形成され、間隙１０４が広くなるほど、未切断の残留頭髪両が多くなり（図１）、反対に、間隙１０４が狭くなるほど、未切断の残留頭髪が少なくなる（図２）。歯部１０３の離間端部に切断部１０５が形成され、第１切刃部１０２の内、外側に刃部２０３と切断部２０４が設けられ、第１本体１００の複数の歯部１０３の切断部１０５と相互に接合されて髪を切断する。第１切刃１０２の接触面１０６と遠離面１０７及と間隙１０４の左、右側面及び底端面の接続部分はいずれも直線部Ｘを呈し（図３、４）、髪を切断する時、間隙１０４が未切断の髪を収容し、整髪用鋏が髪を切る時に行なう引っ張り移動の過程で、直線部Ｘが髪のキューティクルを傷つけやすい。更に直線部Ｘは未切断の髪に付着し、未切断の髪が急速に整髪用鋏より脱出できなくなって間隙１０４内に挟持され、整髪の障害となる。
【発明の開示】
【発明が解決しようとする課題】
【０００３】
本発明の主要な目的は、第１、第２本体が枢設されてなる整髪用鋏を提供することにあり、それは、第１本体に複数の間隙が設けられ、間隙と第２本体が接合される時に髪収容空間を形成し、間隙内に左側面、右側面及び底端面が設けられ、第１本体の内、外側に接触面と遠離面が形成され、接触面と収容空間区域内に位置する左、右側面及び底端面の接続部分、及び遠離面と左、右側面及び底端面の接続部分がいずれも円弧面を形成し、これにより整髪用鋏で髪を切断する時、間隙及び髪収容空間内の未切断の頭髪が各円弧面に沿って急速に間隙及び髪収容空間より離脱し、髪を順調、急速に障害なく切断でき、並びに未切断の頭髪の損傷を防止でき、残りの頭髪を保護して損傷を防止できる。
【課題を解決するための手段】
【０００４】
請求項１の発明は、第１本体、第２本体が重ね合わされ枢設され、第１、２本体が第１、２切刃部を具え、第１切刃部に複数の歯部が設けられ、二つの歯部の間に間隙が形成され、第２切刃部と間隙が接合される時に髪収容空間を形成し、各歯部の離間端部に切断部が設けられ、間隙内に左側面、右側面及び底端面があり、第１切刃部の内、外側に接触面と遠離面がある整髪用鋏において、
接触面と髪収容空間エリア内の左、右側面及び底端面の接続部分、及び遠離面の切断部以外のエリアと左、右側面及び底端面の接続部分にそれぞれ円弧面が形成されたことを特徴とする、整髪用鋏としている。
請求項２の発明は、請求項１記載の整髪用鋏において、間隙内の左、右側面と切断部の接続部分全てが円弧面を呈することを特徴とする、整髪用鋏としている。
請求項３の発明は、請求項１記載の整髪用鋏において、間隙内の左、右側面と切断部の接続部分の底部が円弧面を呈することを特徴とする、整髪用鋏としている。
【発明の効果】
【０００５】
本発明は一種の整髪用鋏に係り、第１、第２本体が重ね合わされ枢設されてなり、第１本体の第１切刃部が複数の間隙を具え、間隙内に左、右側面及び底端面が設けられ、第１切刃部の内、外側に接触面と遠離面があり、間隙と第２本体とが接合される時、髪収容空間が形成され、接触面と髪収容空間エリア内の左、右側面及び底端面の接続部分、及び遠離面と左、右側面及び底端面の接続部分に円弧面が形成され、円弧面の設置により、鋏で頭髪を切る時、間隙及び髪収容空間内に位置する未切断の髪が、鋏の引っ張り移動の過程で、円弧面に沿って間隙より急速脱出し、切断操作が順調に、急速に抵抗なく行なえ、並びに未切断の残りの頭髪を傷つけることがない。
【発明を実施するための最良の形態】
【０００６】
図５、６に示されるように、本発明の整髪用鋏Ｂは、第１本体１０、第２本体２０が相互に重ね合わされ、並びに第１、２本体１０、２０の所定部分が枢設部品３０で枢設され、第１本体１０が第１握持部１１と第１切刃部１２を具え、第１切刃部１２が複数の離間配列された歯部１３を具え、二つの歯部１３の間に間隙１４が形成され、第１切刃部１２の内、外側に接触面１５と遠離面１６が設けられ、各歯部１３の離間端部に切断部１７が形成され、第１切刃部１２と第２切刃部２２が相互に接合される時、間隙１４と第２切刃部２２が髪収容空間Ｃを形成し（図６、１１）、髪収容空間Ｃは間隙１４の底部に位置し、該間隙１４内に左側面１４１、右側面１４２及び底端面１４３があり、接触面１５と髪収容空間Ｃエリア内に位置する左側面１４１、右側面１４２及び底端面１４３との接続部分に、それぞれ円弧面１５１、１５２、１５３が形成され（図７）、遠離面１６の切断部１７以外の区域と、左側面１４１、右側面１４２及び底端面１４３の接続部分に、円弧面１６１、１６２、１６３が形成されている（図８）。第２本体２０は第２握持部２１と第２切刃部２２を具え、第２切刃部２２の内、外側に刃部２３と切断部２４が設けられ、第１切刃部１２の接触面１５及び切断部１７と相互に接合され（図６）ることで髪切断動作を行なう。
【０００７】
髪切断時には、第１、２本体１０、２０の第１、２切刃部１２、２２が相互に接近するよう移動し、刃部２３と切断部１７、接触面１５が連続接触し、刃部２３と切断部１７が組み合わされて切断作用力を発生し、対応位置の頭髪を切断し、切断後の頭髪Ｈは切断部１７に沿って脱落する（図９）。このとき、間隙１４及び髪収容空間Ｃ内には不切断で保留したい頭髪Ｈ１が収容され、第１、２本体１０、２０が切断引っ張り移動する時、間隙１４及び髪収容空間Ｃ内に位置する頭髪Ｈ１が各円弧面１５１、１５２、１５３、１６１、１６２、１６３にスライド式に接触して、順調に間隙１４及び髪収容空間Ｃより脱出し、且つ各円弧面１５１、１５２、１５３、１６１、１６２、１６３が頭髪Ｈ１を傷つけない（図９、１０）。
【０００８】
図１２に示されるように、本発明の間隙１４の左側面１４１、右側面１４２及び底端面１４３と切断部１７の接続部分は全て円弧面１７１を呈するか、或いは上述の接続部分の底部が円弧面１７１とされ（図１３）、この円弧面１７１が未切断の残留頭髪Ｈ１とスライド式に接触することで、同様に未切断の残留頭髪Ｈ１を傷つけず、切断動作を順調に障害なく行なえる。
【０００９】
ゆえに、本発明は以上の構造により、周知の技術と較べて以下のような進歩性を有している。
【００１０】
本発明は円弧面１５１、１５２、１５３、１６１、１６２、１６３の設置により、間隙１４及び髪収容空間Ｃ内の未切断の頭髪Ｈ１がスライド式に上述の円弧面１５１、１５２、１５３、１６１、１６２、１６３に接触し、未切断の頭髪Ｈ１が順調に障害なく整髪用鋏Ｂより脱出し、整髪の動作を更に快速、流暢に行なえ、且つ整髪用鋏Ｂが抜き取られ移動する時に頭髪Ｈ１を傷つけず、未切断の残留頭髪Ｈ１の損傷を防止できる。
【００１１】
総合すると、本発明は予期された機能及び目的を達成し、産業上の利用価値、進歩性、新規性を有する。なお、以上の実施例に基づきなしうる細部の修飾或いは改変は、いずれも本発明の請求範囲に属するものとする。
【図面の簡単な説明】
【００１２】
【図１】周知の技術の平面外観図である（間隙１０４の幅が比較的広い）。
【図２】周知の技術の別の実施例の平面外観図である（間隙１０４の幅が比較的狭い）。
【図３】周知の技術の縦向き組合せ断面図である。
【図４】周知の技術の横向き組合せ断面図である。
【図５】本発明の立体外観図である。
【図６】本発明の部分拡大立体外観図である。
【図７】本発明の第１、２切刃部の縦向き断面図である。
【図８】本発明の第１、２切刃部の横向き断面図である。
【図９】本発明の第１、２切刃部の縦向き断面動作図である。
【図１０】本発明の第１、２切刃部の横向き断面動作図である。
【図１１】本発明の別方向の部分拡大立体外観図である。
【図１２】本発明の部分拡大立体外観図である（円弧面１７１を表示）。
【図１３】本発明の部分拡大立体外観図である（円弧面１７１を表示）。
【符号の説明】
【００１３】
１００  第１本体          １０１  第１握持部        １０２  第１切刃部
１０３  歯部              １０４  間隙              １０５  切断部
１０６  接触面            １０７  遠離面            ２００  第２本体
２０１  第１握持部        ２０２  第２切刃部        ２０３  刃部
２０４  切断部            ３００  枢設部品          Ｘ  直線部
Ａ  整髪用鋏
１０  第１本体            １１  第１握持部          １２  第１切刃部
１３  歯部                １４  間隙                １４１  左側面
１４２  右側面            １４３  底端面            １５  接触面
１６  遠離面              １７  切断部              ２０  第２本体
２１  第２握持部          ２２  第２切刃部          ２３  刃部
２４  切断部              ３０  枢設部品            Ｈ、Ｈ１  頭髪
Ｂ  整髪用鋏              Ｃ  髪収容空間
１５１、１５２、１５３、１６１、１６２、１６３、１７１  円弧面
【図１】
2006102042.tif 000003
【図２】
2006102042.tif 000004
【図３】
2006102042.tif 000005
【図４】
2006102042.tif 000006
【図５】
2006102042.tif 000007
【図６】
2006102042.tif 000008
【図７】
2006102042.tif 000009
【図８】
2006102042.tif 000010
【図９】
2006102042.tif 000011
【図１０】
2006102042.tif 000012
【図１１】
2006102042.tif 000013
【図１２】
2006102042.tif 000014
【図１３】
2006102042.tif 000015